(57)【特許請求の範囲】
【請求項１】
対物レンズが取り付けられる対物レンズホルダーと、
前記対物レンズがトラッキング方向およびフォーカシング方向に移動するように前記対物レンズホルダーを移動させる駆動機構と、
前記対物レンズホルダーおよび前記駆動機構を支持するベースとを備えた光ピックアップのアクチュエータであって、
前記駆動機構を、
前記ベースの上面に所定間隔を保って設けられリング状に巻かれて形成された一対のフォーカスコイルと、
前記一対のフォーカスコイルの側面にそれぞれ配置されたトラッキングコイルと、
前記対物レンズホルダーを固定するホルダー固定部、前記フォーカスコイルと前記トラッキングコイルに対向させてマグネットを固定するマグネット固定部および前記フォーカスコイルの内部に移動自在の状態で挿入される挿入片とを備えたＭ型のヨークと、
前記ベースに設けられ前記対物レンズホルダーおよび前記ヨークを摺動可能に支持する軸部とで構成したことを特徴とする光ピックアップのアクチュエータ。
【請求項２】
前記軸部に対する前記対物レンズホルダーおよび前記ヨークのバランスを取るためのバランサーを、前記ヨークの所定部分に一体的に設けた請求項１に記載の光ピックアップのアクチュエータ。
【発明の詳細な説明】
【０００１】
【発明の属する技術分野】
本発明は、対物レンズをフォーカス方向およびトラッキング方向に移動させる駆動機構を備えた光ピックアップのアクチュエータに関する。
【０００２】
【従来の技術】
従来から、コンパクトディスク（ＣＤ）やディジタルビデオディスク（ＤＶＤ）等の光記録媒体から記録情報を再生したり、光記録媒体に情報を記録したりするための光ピックアップのアクチュエータには、コイルと磁気回路を備えた駆動機構が備わっており、この駆動機構を駆動させることにより、光ピックアップの対物レンズを所定の方向に移動させることができるようになっている。このような光ピックアップのアクチュエータとして、特開平１０−１２４８９７号公報に開示されたものがある。
【０００３】
すなわち、この光ピックアップのアクチュエータでは、ヨーク部材を、底面部と底面部の両側上面に設けられた側壁部とで構成されるフォーカシングヨーク部と、側壁部の上端からそれぞれ外側に延びるフランジ状のトラッキングヨーク部とで構成し、このヨーク部材をベース部の上面に固定している。そして、フォーカシングヨーク部にはフォーカス用コイルを取り付け、一対のトラッキングヨーク部にはそれぞれトラッキング用コイルを取り付けている。また、底面部の上面中央に支持軸を設け、この支持軸に、対物レンズ、フォーカス用コイルに対応するマグネットおよびトラッキング用コイルに対応する一対のマグネットが取り付けられた対物レンズホルダーを回転方向および上下方向に移動可能に取り付けている。
【０００４】
このため、フォーカス用コイルおよびトラッキング用コイルに通電すると、マグネットの磁界が存在するため、フレミングの左手の法則により力が発生し、対物レンズが取り付けられた対物レンズホルダーを移動させることができる。この結果、対物レンズによって集束されるレーザー光の焦点を光記録媒体の記録面およびトラックに合わせながら対物レンズホルダーは移動する。
【０００５】
【発明が解決しようとする課題】
しかしながら、前記光ピックアップのアクチュエータでは、ヨーク部材がベースに固定されてフォーカス用コイルやトラッキング用コイルを取り付けるために用いられており、磁気回路は実質的にマグネットだけで構成されている。このため、効率のよい磁束の利用がなされていないという問題を有していた。
【０００６】
【発明の概要】
本発明は、上記問題に対処するためになされたもので、その目的は、対物レンズホルダーとともに移動するヨークを用いて磁束を効率よく利用することのできる光ピックアップのアクチュエータを提供することである。
【０００７】
上記の目的を達成するため、本発明にかかる光ピックアップのアクチュエータの構成上の特徴は、対物レンズが取り付けられる対物レンズホルダーと、対物レンズがトラッキング方向およびフォーカシング方向に移動するように対物レンズホルダーを移動させる駆動機構と、対物レンズホルダーおよび駆動機構を支持するベースとを備えた光ピックアップのアクチュエータであって、駆動機構を、ベースの上面に所定間隔を保って設けられリング状に巻かれて形成された一対のフォーカスコイルと、一対のフォーカスコイルの表面にそれぞれ配置されたトラッキングコイルと、対物レンズホルダーを固定するホルダー固定部、フォーカスコイルとトラッキングコイルに対向させてマグネットを固定するマグネット固定部およびフォーカスコイルの内部に移動自在の状態で挿入される挿入片とを備えたＭ型のヨークと、ベースに設けられ対物レンズホルダーおよびヨークを摺動可能に支持する軸部とで構成したことにある。
【０００８】
前記のように構成した本発明の光ピックアップのアクチュエータでは、ヨークが、ホルダー固定部に対物レンズホルダーを固定し、マグネット固定部にマグネットを固定して、対物レンズホルダーとともに軸部を介してベースに対して移動可能になっている。したがって、ベースに設けられたフォーカスコイルとトラッキングコイルに通電すると、マグネットの磁界が存在するためフレミングの左手の法則により力が発生し、ヨークは、対物レンズが取り付けられた対物レンズホルダーとともに、軸部に沿って上下移動するとともに、軸部の回りに回転移動する。
【０００９】
また、その際、マグネットの磁界は、ヨークに固定されたマグネットとフォーカスコイルの内部に挿入された挿入片の間で、コイルの電流の向きに直交するように形成されるため、ヨークと対物レンズホルダーの効率のよい移動が行われるようになる。また、ヨークを一体からなるＭ型形状に形成したため、ヨークの製造が簡単になるとともに、ホルダー固定部への対物レンズホルダーの取り付けや対物レンズホルダーとヨークの軸部への取り付けが容易になる。
【００１０】
本発明にかかる光ピックアップのアクチュエータの他の構成上の特徴は、軸部に対する対物レンズホルダーおよびヨークのバランスを取るためのバランサーを、ヨークの所定部分に一体的に設けたことにある。
【００１１】
前記のように構成した本発明の光ピックアップのアクチュエータでは、バランサーがヨークの所定部分に一体的に設けられているため、別体で構成したバランサーを対物レンズホルダーやヨークに取り付ける必要がなくなる。これによって、バランサーの製造や取り付けが容易になる。また、このようなバランサーを設けることにより、ヨークと対物レンズホルダーの重心を軸部中心と一致させることができ、ヨークと対物レンズホルダーの上下方向および回転方向の移動をスムーズにすることができる。
【００１２】
【発明の実施の形態】
以下、本発明の一実施形態を図面を用いて説明する。図１は、本発明にかかる光ピックアップアクチュエータ１０を示している。この光ピックアップアクチュエータ１０は、図２に示した各部材を組み付けて形成され、図３に示したように、大まかに分けて対物レンズ１１を備えた可動部１２と、可動部１２を支持するアクチュエータベース部１３とで構成されている。この光ピックアップアクチュエータ１０は、対物レンズ１１に送られるレーザー光を対物レンズ１１の上方に配置される光記録媒体の表面に集束して照射することにより光記録媒体に対する情報の記録・再生を行うものである。
【００１３】
可動部１２は、対物レンズ１１の他、対物レンズ１１を取り付けるための対物レンズホルダー１４と、対物レンズホルダー１４に接着固定されるヨーク１５と、ヨーク１５に取り付けられる一対のマグネット１６ａ，１６ｂを備えており、これらを一体的に組み付けて構成されている。対物レンズホルダー１４は、比重が小さく潤滑性が高く（摩擦抵抗が小さく）高剛性の樹脂材料で成形され、四角棒状の本体部１４ａの前端側（対物レンズ１１側を前とする）に対物レンズ１１を固定するための対物レンズ取付け部１４ｂを形成して構成されている。対物レンズ取付け部１４ｂは、平面視における前端側部分が前端に近づくに従って徐々に細くなった略半円状に形成され、後端の本体部１４ａとの境界部分が本体部１６ａの幅よりも広く形成されている。
【００１４】
そして、対物レンズホルダー１４の略中央位置に対応する本体部１４ａの部分に上下に貫通する軸受け穴１７が設けられている。対物レンズ取付け部１４ｂの中央部には、レーザー光を通すための孔１８が上下に貫通して設けられ、その上端縁部には、対物レンズ１１を固定するための取付用段部１９が形成されている。また、本体部１４ａの後部側上面には本体部１４ａの前部側上面よりも少し高さが低くなった段部２０が形成されている。なお、対物レンズ取付け部１４ｂの下面は、前端側が上方に位置する傾斜面に形成されている。
【００１５】
ヨーク１５は、対物レンズホルダー１４の本体部１４ａの両側面および底面を包み込むような縦断面形状が略Ｍ型の磁性体からなる金属板で構成されている。すなわち、一定間隔を保って平行に配置された本発明の挿入片である外側部２１ａ，２１ｂの上端部から互いに中央側に向って天井部２２ａ，２２ｂが延び、天井部２２ａ，２２ｂの端部から内側部２３ａ，２３ｂがそれぞれ外側部２１ａ，２１ｂと平行に設けられている。そして、両内側部２３ａ，２３ｂの端部を繋いで底面部２４が設けられている。この底面２４の中央部には、対物レンズホルダー１４の軸受け穴１７よりもやや直径の大きな挿通穴２４ａが設けられている。
【００１６】
可動部１２を組み立てる際には、対物レンズホルダー１４の取付用段部１９に対物レンズ１１を嵌合させるとともに接着剤を用いて対物レンズ１１の周面と取付用段部１９を接着して、対物レンズ１１を対物レンズホルダー１４に取り付ける。ついで、軸受け穴１７とヨーク１５の挿通穴２４ａを合わせて、ヨーク１５の内側部２３ａ，２３ｂと底面部２４で囲まれる部分に本体部１４ａを入れる。そして、その接触した部分を接着剤を用いて接着することにより対物レンズホルダー１４をヨーク１５に取り付ける。つぎに、ヨーク１５の内側部２３ａ，２３ｂにおけるそれぞれの外側面（外側部２１ａ，２１ｂに対向する面）に、四角板状のマグネット１６ａ，１６ｂを接着剤を用いて接着することにより可動部１２が組み立てられる。
【００１７】
アクチュエータベース部１３は、可動部１２を支持するためのアクチュエータベース２５と、アクチュエータベース２５の上面に取り付けられる一対のコイルボビン２６ａ，２６ｂと、コイルボビン２６ａ，２６ｂにそれぞれ取り付けられるフォーカスコイル２７ａ，２７ｂと、各フォーカスコイル２７ａ，２７ｂにそれぞれ一対づつ取り付けられる二対のトラッキングコイル２８ａ，２９ａ，２８ｂ，２９ｂおよび軸部３０とを備えている。
【００１８】
アクチュエータベース２５は、非鉄材料からなる板で構成され、前部側の両側には、コイルボビン２６ａ，２６ｂをねじ（図示せず）で固定するための一対の孔３１ａ，３２ａおよび一対の孔３１ｂ，３２ｂがそれぞれ設けられ、その一対の孔３１ａ，３２ａおよび一対の孔３１ｂ，３２ｂ間における中央部に軸部３０を固定するための嵌合穴３３が設けられている。また、アクチュエータベース２５の後部側の両側には、光ピックアップアクチュエータ１０を装置の本体側に取り付けるための取付け穴３４ａ，３４ｂが設けられている。
【００１９】
コイルボビン２６ａ，２６ｂは、それぞれ孔３１ａ，３２ａおよび孔３１ｂ，３２ｂを介してアクチュエータベース２５に固定され、上部側にはフォーカスコイル２７ａ，２７ｂを形成する導線を巻き付けるための支持片が取り付けられている。そして、コイルボビン２６ａの支持片に導線を巻き付けて四角リング状のフォーカスコイル２７ａが形成され、コイルボビン２６ｂの支持片に導線を巻き付けて四角リング状のフォーカスコイル２７ｂが形成されている。
【００２０】
このフォーカスコイル２７ａ，２７ｂの内部側は上面が開口した空洞に形成され、フォーカスコイル２７ａの内部にはヨーク１５の外側部２１ａが余裕を持って挿通でき、フォーカスコイル２７ｂの内部にはヨーク１５の外側部２１ｂが余裕を持って挿通できるようになっている。なお、支持片の内側面には、マグネット１６ａ，１６ｂを引き付けるための鉄片３５が取り付けられている。
【００２１】
さらに、フォーカスコイル２７ａの内側面（フォーカスコイル２７ｂと対向する面）に一対のトラッキングコイル２８ａ，２９ａが間隔を保って取り付けられ、フォーカスコイル２７ｂの内側面（フォーカスコイル２７ａと対向する面）に一対のトラッキングコイル２８ｂ，２９ｂが間隔を保って取り付けられている。このトラッキングコイル２８ａ，２９ａおよびトラッキングコイル２８ｂ，２９ｂはそれぞれ、フォーカスコイル２７ａ，２７ｂの隙間から突出する支持片に導線を巻き付けることによって四角リング状に形成されている。
【００２２】
軸部３０は、ステンレス材料からなる丸棒で構成され、上部側部分が直径が大きくなった摺接部３０ａに形成され、下部側部分が直径が小さく長さの短い固定部３０ｂに形成されている。摺接部３０ａは周面が滑らかな面になるような加工が施されて、対物レンズホルダー１４の軸受け穴１７の周面に対して摺動可能になっている。固定部３０ｂはアクチュエータベース２５の嵌合穴３３に嵌合して固定される大きさに設定されている。そして、固定部３０ｂの長さは、アクチュエータベース２５の厚みと略同一に設定されている。なお、ヨーク１５、マグネット１６ａ，１６ｂ、コイルボビン２６ａ，２６ｂ、フォーカスコイル２７ａ，２７ｂ、トラッキングコイル２８ａ，２９ａ，２８ｂ，２９ｂおよび軸部３０で本発明の駆動機構が構成される。
【００２３】
アクチュエータベース部１３を組み付ける際には、まず、所定のフォーカスコイル２７ａ，２７ｂ、トラッキングコイル２８ａ，２９ａ，２８ｂ，２９ｂおよび鉄片３５が取り付けられたコイルボビン２６ａ，２６ｂを、ねじを用いてアクチュエータベース２５の孔３１ａ，３２ａおよび孔３１ｂ，３２ｂの部分に固定する。ついで、そのアクチュエータベース２５の嵌合穴３３に軸部３０の固定部３０ｂを固定する。これによって、図３に示したように、アクチュエータベース部１３が組み付けられる。
【００２４】
そして、このように組み付けられたアクチュエータベース部１３における軸部３０の摺接部３０ａに、ヨーク１５の挿通穴２４ａおよび対物レンズホルダー１４の軸受け穴１７を挿通させるとともに、ヨーク１５の外側部２１ａ，２１ｂをそれぞれ対応するフォーカスコイル２７ａ，２７ｂの内部に挿通させることにより、図１に示した光ピックアップアクチュエータ１０が得られる。なお、フォーカスコイル２７ａ，２７ｂおよびトラッキングコイル２８ａ，２９ａ，２８ｂ，２９ｂには、リード線またはフレキシブル基板（図示せず）が接続されており、これを介して通電が可能になっている。
【００２５】
また、ヨーク１５に取り付けられたマグネット１６ａ，１６ｂは、それぞれ対応するフォーカスコイル２７ａ，２７ｂおよびトラッキングコイル２８ａ，２９ａ，２８ｂ，２９ｂと対向する位置にある。したがって、通常は、マグネット１６ａ，１６ｂとコイルボビン２６ａ，２６ｂの鉄片３５とが引き合って、可動部１２は中立位置に保持される。
【００２６】
そして、フォーカスコイル２７ａ，２７ｂおよびトラッキングコイル２８ａ，２９ａ，２８ｂ，２９ｂに通電すると、マグネット１６ａ，１６ｂの磁界が存在するためフレミングの左手の法則による力が発生し、可動部１２は、軸部３０の軸方向に沿って上下に移動したり、軸回りに沿って回転したりする。すなわち、フォーカスコイル２７ａ，２７ｂの通電とマグネット１６ａ，１６ｂの磁界により発生した力によって可動部１２は上下に移動し、トラッキングコイル２８ａ，２９ａ，２８ｂ，２９ｂの通電とマグネット１６ａ，１６ｂの磁界により発生した力によって可動部１２は回転する。
【００２７】
このように構成された光ピックアップアクチュエータ１０を使用する際には、対物レンズ１１の上方における所定箇所に、コンパクトディスクやディジタルビデオディスク等の光記録媒体を配置して、光ピックアップアクチュエータ１０を備えた装置にスイッチを入れ、光記録媒体を回転させるとともにフォーカスコイル２７ａ，２７ｂおよびトラッキングコイル２８ａ，２９ａ，２８ｂ，２９ｂに通電する。これによって、可動部１２は、対物レンズ１１によって集束されるレーザー光の焦点を光記録媒体の記録面およびトラックに追従させるように移動して、光記録媒体に情報を記録させたり光記録媒体に記録された情報を再生させたりする。
【００２８】
この場合、可動部１２は、フォーカスコイル２７ａ，２７ｂおよびトラッキングコイル２８ａ，２９ａ，２８ｂ，２９ｂへの通電とマグネット１６ａ，１６ｂの磁界により発生する力により移動する。そして、このマグネット１６ａ，１６ｂの磁界は、マグネット１６ａ，１６ｂとフォーカスコイル２７ａ，２７ｂの内部に挿入されたヨーク１５の外側部２１ａ，２１ｂの間で、フォーカスコイル２７ａ，２７ｂおよびトラッキングコイル２８ａ，２９ａ，２８ｂ，２９ｂの電流の向きに直交するように形成されるため、可動部１２は効率よく移動するようになる。また、ヨーク１５が、金属板を縦断面形状が略Ｍ型になるように折り曲げて形成されているため製造が容易であるとともに、対物レンズホルダー１４との組み付けも簡単になる。
【００２９】
図４および図５は、本発明の他の実施形態による光ピックアップアクチュエータ４０を示しており、図６は、光ピックアップアクチュエータ４０が備える可動部４１を示している。この光ピックアップアクチュエータ４０では、可動部４１のヨーク４２が、光ピックアップアクチュエータ１０のヨーク１５と同様、外側部４２ａ，４２ｂ、天井部４３ａ，４３ｂ、内側部４４ａ，４４ｂおよび中央部に挿通穴４５ａが設けられた底面部４５を備えている。
【００３０】
そして、底面部４５の後端縁部に半円板状のバランサー４６がヨーク４２と一体的に設けられている。このバランサー４６は、可動部４１の後部側を重くして可動部４１全体の重さの重心を軸部３０の中心と同じ位置にするために設けられている。光ピックアップアクチュエータ４０のそれ以外の部分の構成については、光ピックアップアクチュエータ１０と同様である。したがって、同一部分に同一符号を記している。
【００３１】
バランサー４６の大きさおよび形状は、図７に示すように、対物レンズ１１の重心を点ａ、バランサー４６の重心を点ｂとしたとき、可動部４１の重心が軸部３０の摺接部３０ａの中心軸中央部に位置する点ｃになるように設定されている。これによって、可動部４１の重心が軸部３０の中心と一致するため、可動部４１の上下方向及び回転方向の移動をスムーズにすることができる光ピックアップアクチュエータ４０が得られる。また、バランサー４６はヨーク４２と一体的に形成されるため製造が簡単である。それ以外の作用効果については光ピックアップアクチュエータ１０と同様である。
【００３２】
図８および図９は、本発明のさらに他の実施形態による光ピックアップアクチュエータ５０を示しており、図１０は、光ピックアップアクチュエータ５０が備える可動部５１を示している。この光ピックアップアクチュエータ５０では、可動部５１のヨーク５２が、光ピックアップアクチュエータ１０のヨーク１５と同様、外側部５２ａ，５２ｂ、天井部５３ａ，５３ｂ、内側部５４ａ，５４ｂおよび中央部に挿通穴５５ａが設けられた底面部５５を備えている。そして、天井部５３ａ，５３ｂの後端側からは、互いの先端部が近づくような円弧状のバランサー５６ａ，５６ｂが延びている。このバランサー５６ａ，５６ｂもヨーク５２と一体的に設けられ、可動部５１の後部側を重くして可動部５１全体の重さのバランスをとるために設けられている。光ピックアップアクチュエータ５０のそれ以外の部分の構成については、光ピックアップアクチュエータ１０と同様である。したがって、同一部分に同一符号を記している。
【００３３】
なお、対物レンズホルダー１４とヨーク５２を組み付ける際には、バランサー５６ａ，５６ｂを対物レンズホルダー１４の段部２０に位置合わせする。また、バランサー５６ａ，５６ｂの大きさおよび形状も、図１１に示すように、対物レンズ１１の重心を点ａ、バランサー５６ａ，５６ｂの重心を点ｄとしたとき、可動部５１の重心が軸部３０の摺接部３０ａの中心軸中央部に位置する点ｃになるように設定される。この場合も、バランサー５６ａ，５６ｂはヨーク５２と一体的に形成されるため製造が簡単である。また、バランサー５６ａ，５６ｂの高さ位置が対物レンズ１１の高さ位置と略等しくなるため、可動部５１の重心を軸部３０の中心に一致させ易くなる。それ以外の作用効果については光ピックアップアクチュエータ１０，４０と同様である。
【００３４】
図１２および図１３は、本発明のさらに他の実施形態による光ピックアップアクチュエータ６０を示しており、図１４は、光ピックアップアクチュエータ６０が備える可動部６１を示している。この光ピックアップアクチュエータ６０では、可動部６１の対物レンズホルダー６２が、光ピックアップアクチュエータ５０の対物レンズホルダー１４と同様、孔６３および取付用段部６４が形成された対物レンズ取付け部６２ｂを備えている。そして、本体部６２ａには、対物レンズホルダー１４と同様、軸受け穴６５および段部６６が形成され、さらに、本体部６２ａにおける前部側の両側部に縦溝状の凹凸部６７が設けられている。光ピックアップアクチュエータ６０のそれ以外の部分の構成については、光ピックアップアクチュエータ５０と同様である。したがって、同一部分に同一符号を記している。
【００３５】
この光ピックアップアクチュエータ６０では、対物レンズホルダー６２の本体部６２ａに凹凸部６７が設けられているため、対物レンズホルダー６２とヨーク５２を強固に組み付けることができる。また、対物レンズホルダー６２とヨーク５２を接着するための接着剤の塗布が容易になる。それ以外の作用効果については光ピックアップアクチュエータ５０と同様である。
【００３６】
図１５および図１６は、本発明のさらに他の実施形態による光ピックアップアクチュエータ７０を示しており、図１７は、光ピックアップアクチュエータ７０が備える可動部７１を示している。この光ピックアップアクチュエータ７０では、可動部７１のヨーク７２における外側部７２ａの下端中央部から天井部７３ａの中央部にかけて切欠き部７４ａが設けられ、外側部７２ｂの下端中央部から天井部７３ｂの中央部にかけて切欠き部７４ｂが設けられて、外側部７２ａと天井部７３ａおよび外側部７２ｂと天井部７３ｂはそれぞれ二股状に分岐して構成されている。
【００３７】
また、アクチュエータベース部７５のコイルボビン７６ａ，７６ｂの中央部には、各コイルボビン７６ａ，７６ｂをそれぞれ前部側と後部側に分離する隙間７７ａ，７７ｂが設けられている。そして、トラッキングコイル７８ａ，７８ｂが、下端側をコイルボビン７６ａ，７６ｂの隙間７７ａ，７７ｂに位置させてフォーカスコイル７９ａ，７９ｂの周囲を囲んで設けられている。したがって、可動部７１をアクチュエータベース部７５に取り付けると、トラッキングコイル７８ａで仕切られるフォーカスコイル７９ａの上面開口からそれぞれ二股状になった外側部７２ａがフォーカスコイル７９ａの内部に挿入され、トラッキングコイル７８ｂで仕切られるフォーカスコイル７９ｂの上面開口からそれぞれ二股状になった外側部７２ｂがフォーカスコイル７９ｂの内部に挿入される。光ピックアップアクチュエータ７０のそれ以外の部分の構成については、光ピックアップアクチュエータ５０と同様である。したがって、同一部分に同一符号を記している。
【００３８】
この場合、可動部７１は、フォーカスコイル７９ａ，７９ｂおよびトラッキングコイル７８ａ，７８ｂへの通電とマグネット１６ａ，１６ｂの磁界により発生する力により移動する。そして、このマグネット１６ａ，１６ｂの磁界は、マグネット１６ａ，１６ｂとフォーカスコイル７９ａ，７９ｂの内部に挿入されたヨーク７２の外側部７２ａ，７２ｂの間で、フォーカスコイル７９ａ，７９ｂおよびトラッキングコイル７８ａ，７８ｂの電流の向きに直交するように形成されるため、可動部７１は効率よく移動するようになる。それ以外の作用効果については光ピックアップアクチュエータ５０と同様である。
【００３９】
図１８および図１９は、本発明のさらに他の実施形態による光ピックアップアクチュエータ８０を示しており、図２０は、光ピックアップアクチュエータ８０が備える可動部８１を示している。この光ピックアップアクチュエータ８０では、可動部８１のヨーク８２における外側部８２ａ，８２ｂの幅が、天井部８３ａ，８３ｂ、内側部８４ａ，８４ｂおよび底面部８５の幅よりも狭く設定されている。
【００４０】
また、アクチュエータベース部８６のコイルボビン８７ａ，８７ｂの前後方向の長さは短く設定され、コイルボビン８７ａ，８７ｂに取り付けられるフォーカスコイル８８ａ，８８ｂの前部および後部はそれぞれコイルボビン８７ａ，８７ｂの端部よりも外側に突出している。そして、それぞれ一対のトラッキングコイル８９ａ，９０ａおよび一対のトラッキングコイル８９ｂ，９０ｂが、それぞれ対応するフォーカスコイル８８ａ，８８ｂの前部および後部の周囲を囲んで設けられている。
【００４１】
したがって、可動部８１をアクチュエータベース部８６に取り付けると、フォーカスコイル８８ａの上面開口におけるトラッキングコイル８９ａ，９０ａ間から外側部８２ａがフォーカスコイル８８ａの内部に挿入され、フォーカスコイル８８ｂの上面開口におけるトラッキングコイル８９ｂ，９０ｂ間から外側部８２ｂがフォーカスコイル８８ｂの内部に挿入される。光ピックアップアクチュエータ８０のそれ以外の部分の構成については、光ピックアップアクチュエータ７０と同様である。したがって、同一部分に同一符号を記している。この場合も光ピックアップアクチュエータ７０と同様の作用効果を奏する。
【００４２】
なお、本発明は前述した実施形態による光ピックアップアクチュエータ１０等に限るものでなく、適宜変更実施が可能である。例えば、ヨーク１５等は、上下方向を逆さまにして使用することもできる。この場合、ヨーク１５等が、対物レンズホルダー１４等の両側面および上面を包み込むようにして、ヨーク１５等と対物レンズホルダー１４等を組み付ける。また、フォーカスコイル２７ａ，２７ｂ等の下方には外側部２１ａ，２１ｂ等を挿入できる開口を設けて、フォーカスコイル２７ａ，２７ｂ等の内部に外側部２１ａ，２１ｂ等を挿入できるようにする。さらに、鉄片３５はコイルボビン２６ａ，２６ｂ等の双方でなく一方だけに設けてもよい。
【図面の簡単な説明】
【図１】  本発明の一実施形態による光ピックアップアクチュエータを示した斜視図である。
【図２】  図１に示した光ピックアップアクチュエータの分解斜視図である。
【図３】  光ピックアップアクチュエータの可動部とアクチュエータベース部を示した斜視図である。
【図４】  本発明の他の実施形態による光ピックアップアクチュエータを示した斜視図である。
【図５】  図４に示した光ピックアップアクチュエータの可動部とアクチュエータベース部を示す斜視図である。
【図６】  図５に示した可動部の分解斜視図である。
【図７】  図４に示した光ピックアップアクチュエータの可動部における重心の位置を示す側面図である。
【図８】  本発明のさらに他の実施形態による光ピックアップアクチュエータを示した斜視図である。
【図９】  図８に示した光ピックアップアクチュエータの可動部とアクチュエータベース部を示す斜視図である。
【図１０】  図９に示した可動部の分解斜視図である。
【図１１】  図８に示した光ピックアップアクチュエータの可動部における重心の位置を示す側面図である。
【図１２】  本発明のさらに他の実施形態による光ピックアップアクチュエータを示した斜視図である。
【図１３】  図１２に示した光ピックアップアクチュエータの可動部とアクチュエータベース部を示す斜視図である。
【図１４】  図１３に示した可動部の分解斜視図である。
【図１５】  本発明のさらに他の実施形態による光ピックアップアクチュエータを示した斜視図である。
【図１６】  図１５に示した光ピックアップアクチュエータの可動部とアクチュエータベース部を示す斜視図である。
【図１７】  図１６に示した可動部の分解斜視図である。
【図１８】  本発明のさらに他の実施形態による光ピックアップアクチュエータを示した斜視図である。
【図１９】  図１８に示した光ピックアップアクチュエータの可動部とアクチュエータベース部を示す斜視図である。
【図２０】  図１８に示した可動部の分解斜視図である。
【符号の説明】
１０，４０，５０，６０，７０，８０…光ピックアップアクチュエータ、１１…対物レンズ、１４…対物レンズホルダー、１５…ヨーク、１６ａ，１６ｂ…マグネット、１７，２４ａ，６５…軸受け穴、１８…孔、１９…取付用段部、２１ａ，２１ｂ，４２ａ，４２ｂ，５２ａ，５２ｂ，７２ａ，７２ｂ，８２ａ，８２ｂ…外側部、２５…アクチュエータベース、２６ａ，２６ｂ，７６ａ，７６ｂ，８２ａ，８２ｂ…コイルボビン、２７ａ，２７ｂ，７９ａ，７９ｂ，８８ａ，８８ｂ…フォーカスコイル、２８ａ，２８ｂ，２９ａ，２９ｂ，７８ａ，７８ｂ，８９ａ，８９ｂ，９０ａ，９０ｂ…トラッキングコイル、３０…軸部、３３…嵌合穴。
【図１】
0003853239.tif 000002
【図２】
0003853239.tif 000003
【図３】
0003853239.tif 000004
【図４】
0003853239.tif 000005
【図５】
0003853239.tif 000006
【図６】
0003853239.tif 000007
【図７】
0003853239.tif 000008
【図８】
0003853239.tif 000009
【図９】
0003853239.tif 000010
【図１０】
0003853239.tif 000011
【図１１】
0003853239.tif 000012
【図１２】
0003853239.tif 000013
【図１３】
0003853239.tif 000014
【図１４】
0003853239.tif 000015
【図１５】
0003853239.tif 000016
【図１６】
0003853239.tif 000017
【図１７】
0003853239.tif 000018
【図１８】
0003853239.tif 000019
【図１９】
0003853239.tif 000020
【図２０】
0003853239.tif 000021